Podtech/llm-jp-corpus-v4-ja_patent huggingface dataset:
【手続補正書】
【提出日】平成19年8月3日(2007.8.3)
【手続補正１】
【補正対象書類名】特許請求の範囲
【補正対象項目名】全文
【補正方法】変更
【補正の内容】
【特許請求の範囲】
【請求項１】
連続含水層を有する農薬濃縮物であって、当該連続相が油性のアジュバント及び当該連続相内で前記アジュバントを可溶化させる能力をもつハイドロトロープ剤をも含んで成ることを特徴とする農薬濃縮物。
【請求項２】
油性のアジュバントが農薬濃縮物の１０％以上の濃度で存在する請求項１に記載の農薬濃縮物。
【請求項３】
連続層内に分散した第２の相を含有する、請求項１又は２に記載の農薬濃縮物。
【請求項４】
第２の相が固体である、請求項３に記載の農薬濃縮物。
【請求項５】
第２の相が水不混和性液体を含む、請求項３に記載の農薬濃縮物。
【請求項６】
第２相がマイクロカプセル化されている、請求項３に記載の農薬濃縮物。
【請求項７】
第２相がマイクロエマルジョンである、請求項３に記載の農薬濃縮物。
【請求項８】
連続層内に分散した水不混和性液体を含む第３相を含有する、請求項４に記載の農薬濃縮物。
【請求項９】
連続相内に溶解した農薬濃縮物を含む請求項２に記載の農薬濃縮物。
【請求項１０】
第２相が農薬を含む、請求項４、５、６又は７に記載の農薬濃縮物。
【請求項１１】
第２相が農薬を含むか又は第３相が農薬を含むか又は、これらの両方の相が各々同じ又は異なる農薬であり得る農薬を含む、請求項８に記載の農薬濃縮物。
【請求項１２】
請求項１に記載の農薬濃縮物が中に分散している連続油相。
【請求項１３】
請求項１に記載の農薬濃縮物の製造のためのプロセスであって、連続相をまず最初に調製し、次に任意の後続処理が前記連続相中で行なわれる。
【請求項１４】
油性のアジュバント及びハイドロトロープ剤の存在下、任意には分散系の存在下で、水中の固体を摩砕する段階を含む、請求項４に記載の農薬濃縮物の製造のためのプロセス。
【請求項１５】
濃縮物を水のスプレータンク内で希釈させる、請求項１に記載の農薬濃縮物を用いた方法。
【手続補正書】
【提出日】平成19年7月31日(2007.7.31)
【手続補正１】
【補正対象書類名】特許請求の範囲
【補正対象項目名】全文
【補正方法】変更
【補正の内容】
【特許請求の範囲】
【請求項１】
感染因子に対する予防を対象に提供するための医薬組成物であって、前記感染因子による感染を低下させるために有効な量のＩＲＭ化合物を含み、ここで前記医薬組成物が前記対象の気道へと局所的に投与される、前記医薬組成物。
【手続補正書】
【提出日】平成19年3月14日(2007.3.14)
【手続補正１】
【補正対象書類名】特許請求の範囲
【補正対象項目名】全文
【補正方法】変更
【補正の内容】
【特許請求の範囲】
【請求項１】
（ａ）式
【化１】
2007501259.tif 000001
の、Ｎ−｛５−［４−（４−メチル−ピペラジノ−メチル）−ベンゾイルアミド］−２−メチルフェニル｝−４−（３−ピリジル）−２−ピリミジン−アミン
またはその薬学的に許容される塩、および
（ｂ）メルファラン、ドキソルビシン、シクロホスファミド、ロイコボリン、エピクリン、ビンクリスチン、マイトマイシンＣ、ヒドロキシル尿素、ブレオマイシン、メトトレキセート、５ＦＵ、シスプラチン、パクリタキセル、ドセタキセルおよびカルボプラチンから選択される少なくとも１つの化合物
を含んでなる、頭頸部がんの処置において同時的、個別的または逐次的使用のための組合せ剤。
【請求項２】
Ｎ−｛５−［４−（４−メチル−ピペラジノ−メチル）−ベンゾイルアミド］−２−メチルフェニル｝−４−（３−ピリジル）−２−ピリミジン−アミンがモノメタンスルホン酸塩の形態である、請求項１に記載の組合せ剤。
【請求項３】
（ｂ）がシスプラチンである、請求項１または２に記載の組合せ剤。
【請求項４】
（ｂ）がシスプラチンおよび５ＦＵである、請求項１または２に記載の組合せ剤。
【請求項５】
頭頸部がんの処置用医薬の製造のための、請求項１から４のいずれかに記載の組合せ剤の使用。
【請求項６】
該頭頸部がんが、腺様嚢胞がんおよび扁平上皮細胞がんから選択される、請求項５に記載の使用。
【請求項７】
２００から８００ｍｇの４−（４−メチルピペラジン−１−イルメチル）−Ｎ−［４−メチル−３−（４−ピリジン−３−イル）ピリミジン−２−イルアミノ）フェニル］−ベンズアミド遊離塩基に対応する日投与量が投与される、請求項６に記載の使用。
【請求項８】
請求項１から４のいずれかに記載の組合せ剤を含んでなる、医薬組成物。
【請求項９】
請求項１から４のいずれかに記載の組合せ剤を、同時的、個別的または逐次的使用のための指示書と共に含んでなる、商品パッケージ。
【手続補正書】
【提出日】平成19年7月12日(2007.7.12)
【手続補正１】
【補正対象書類名】特許請求の範囲
【補正対象項目名】全文
【補正方法】変更
【補正の内容】
【特許請求の範囲】
【請求項１】
均一な速度において長時間にわたって被侵食性固形物として放出するよう適合された、高用量、低溶解度および乏しい溶解速度を有することを特徴とする化合物またはその製薬学的に許容できる酸付加塩、崩壊剤を含んでなり、かつ界面活性剤を含まない、制御放出投薬形態物。
【請求項２】
化合物がトピラメートである、請求項１の投薬形態物。
【請求項３】
長時間が６時間またはそれを超える時間である、請求項１の投薬形態物。
【請求項４】
化合物が少なくとも２ｍｇ／ｈｒの速度で放出される、請求項１の投薬形態物。
【請求項５】
長時間が６時間またはそれを超える時間である、請求項４の投薬形態物。
【請求項６】
界面活性剤を含まない、少なくとも２ｍｇ／ｈｒの均一な放出速度において長時間にわたって化合物を放出するよう適合された、高用量、低溶解度および乏しい溶解速度を有ることを特徴とする化合物またはその製薬学的に許容できる酸付加塩を含んでなる、生物被侵食性組成物。
【請求項７】
化合物がトピラメートである、請求項６の組成物。
【請求項８】
ポリエチレンオキサイドおよびポリビニルピロリドンをさらに含んでなる、請求項７の組成物。
【請求項９】
長時間が６時間またはそれを超える時間である、請求項８の組成物。
【請求項１０】
均一な放出速度が６０ｍｇ／ｈｒ以下である、請求項６の組成物。
【請求項１１】
親水性ポリマー担体をさらに含んでなる、請求項６の組成物。
【請求項１２】
崩壊剤をさらに含んでなる、請求項６の組成物。
【請求項１３】
崩壊剤をさらに含んでなる、請求項１１の組成物。
【請求項１４】
ａ）壁の少なくとも１部分が半透過性である、区画を定める壁；
ｂ）壁に形成されているか、または形成することができる出口オリフィス；
ｃ）出口オリフィスから離れた区画内で、壁の半透過性部分と流体を伝達する位置に置かれた拡張可能な層；および
ｄ）出口オリフィスに隣接する区画内に置かれた薬物層であって、界面活性剤を含まない、高用量、低溶解度および乏しい溶解速度を有することを特徴とする化合物またはその製薬学的に許容できる酸付加塩を含んでなる薬物層；
を含んでなる投薬形態物。
【請求項１５】
化合物がトピラメートである、請求項１４の投薬形態物。
【請求項１６】
壁と薬物層の間に流動促進層をさらに含んでなる、請求項１４の投薬形態物。
【手続補正書】
【提出日】平成19年8月2日(2007.8.2)
【手続補正１】
【補正対象書類名】特許請求の範囲
【補正対象項目名】全文
【補正方法】変更
【補正の内容】
【特許請求の範囲】
【請求項１】
メタボリックシンドローム罹患について事前選択された対象を治療するための医薬組成物であって、有効量の式（Ｉ）：
【化１】
2007501245.tif 000001
（式中、Ｒ１及びＲ２は、独立にＨ又はメチルである。）の化合物、又はそのエナンチオマーもしくは医薬適合性の塩を含む、前記医薬組成物。
【請求項２】
対象におけるメタボリックシンドロームを治療するための医薬組成物であって、有効量の式（Ｉ）：
【化２】
2007501245.tif 000002
（式中、Ｒ１及びＲ２は、独立にＨ又はメチルである。）の化合物、又はそのエナンチオマーもしくは医薬適合性の塩を含む、前記医薬組成物。
【請求項３】
Ｒ１が水素である、請求項１又は請求項２に記載の医薬組成物。
【請求項４】
Ｒ２がメチルである、請求項３に記載の医薬組成物。
【請求項５】
Ｒ２が水素である、請求項３に記載の医薬組成物。
【請求項６】
Ｒ１が水素である、請求項１又は請求項２に記載の医薬組成物。
【請求項７】
Ｒ２がメチルである、請求項６に記載の医薬組成物。
【請求項８】
Ｒ２が水素である、請求項６に記載の医薬組成物。
【請求項９】
前記化合物が、（＋）−Ｎ−［１−［１−（４−クロロフェニル）シクロブチル］−３−メチルブチル｝−Ｎ−メチルアミン；（＋）−１−［１−（４−クロロフェニル）シクロブチル］−３−メチルブチルアミン；（＋）−Ｎ−｛１−［１−（４−クロロフェニル）シクロブチル］−３−メチルブチル｝−Ｎ−Ｎ−ジメチルアミン；（−）−Ｎ−｛１−［１−（４−クロロフェニル）シクロブチル−３−メチルブチル｝−Ｎ−メチルアミン；（−）−１−［１−（４−クロロフェニル）シクロブチル］−３−メチルブチルアミン；（−）−Ｎ−｛１−［１−（４−クロロフェニル）シクロブチル］−３−メチルブチル｝−Ｎ−Ｎ−ジメチルアミン又はそれらの混合物である、請求項１又は請求項２に記載の医薬組成物。
【請求項１０】
医薬適合性の担体と組み合わせて投与される、請求項１又は請求項２に記載の医薬組成物。
【請求項１１】
前記有効量が、前記対象におけるトリグリセリドレベルを低下させるのに有効である、請求項１又は請求項２に記載の医薬組成物。
【請求項１２】
前記有効量が、高密度リポタンパク質コレステロールレベルを調節するのに有効である、請求項１又は請求項２に記載の医薬組成物。
【請求項１３】
前記有効量が、前記対象の血圧を低下させるのに有効である、請求項１又は請求項２に記載の医薬組成物。
【請求項１４】
前記有効量が、異常な空腹時血糖値を治療するのに有効である、請求項１又は請求項２に記載の医薬組成物。
【請求項１５】
前記有効量が、腹部肥満を軽減するのに有効である、請求項１又は請求項２に記載の医薬組成物。
【請求項１６】
前記対象がヒトである、請求項１又は請求項２に記載の医薬組成物。
【請求項１７】
第二の治療剤と組み合わせて投与される、請求項１又は請求項２に記載の医薬組成物。
【請求項１８】
メタボリックシンドロームの３以上の症候の発症について事前選択された対象を治療するための医薬組成物であって、有効量の式（Ｉ）： 
【化３】
2007501245.tif 000003
（式中、Ｒ１及びＲ２は、独立にＨ又はメチルである。）の化合物、又はそのエナンチオマーもしくは医薬適合性の塩を含む、前記医薬組成物。
【請求項１９】
前記対象が腹部肥満である、請求項１８に記載の医薬組成物。
【請求項２０】
前記対象が、高トリグリセリドレベルを呈している、請求項１８に記載の医薬組成物。
【請求項２１】
前記対象が、高密度リポタンパク質（ＨＤＬ）コレステロールレベル低下を呈している、請求項１８に記載の医薬組成物。
【請求項２２】
前記対象が、異常な空腹時血糖値を呈している、請求項１８に記載の医薬組成物。
【請求項２３】
前記対象が、メタボリックシンドロームの４以上の症候を発症している、請求項１８に記載の医薬組成物。
【請求項２４】
前記対象が、メタボリックシンドロームの５以上の症候を発症している、請求項２３に記載の医薬組成物。
【請求項２５】
第二の薬剤と組み合わせて投与される、請求項１８に記載の医薬組成物。
【請求項２６】
メタボリックシンドロームを治療するための、有効量の式（Ｉ）：
【化４】
2007501245.tif 000004
（式中、Ｒ１及びＲ２は、独立にＨ又はメチルである。）の化合物、又はそのエナンチオマーもしくは医薬適合性の塩と、メタボリックシンドロームを治療するための前記化合物の使用説明書とを含む、パッケージ化された医薬組成物。
【手続補正書】
【提出日】平成19年7月27日(2007.7.27)
【手続補正１】
【補正対象書類名】明細書
【補正対象項目名】００５３
【補正方法】変更
【補正の内容】
【００５３】
触媒は、チオフェン遊離体の０．１〜５ｍｏｌ％、好ましくは０．５〜２ｍｏｌ％の量で添加するのが好ましい。
次に、随意的に反応混合物を攪拌および／または熱しつつ、重合（グリニャールメタセシス）反応を十分な時間進行させて、ポリマー（３）を得る。
本発明による方法は、十分な転換率を提供する任意の温度において実施することができる。反応は、−５℃と溶媒の還流温度の間の温度で、特に、本明細書に特定した温度で実施するのが好ましい。用語「還流温度」とは、溶媒の沸点、またはそれより僅かに低い温度を含む。
【手続補正書】
【提出日】平成19年6月26日(2007.6.26)
【手続補正１】
【補正対象書類名】特許請求の範囲
【補正対象項目名】全文
【補正方法】変更
【補正の内容】
【特許請求の範囲】
【請求項１】
重量％で：
1) プロピレンホモポリマー、ならびにエチレン、C4〜C10α-オレフィンおよびこれらの混合物から選択されるα-オレフィン0.1〜10%とのプロピレンのランダムコポリマーおよびランダムターポリマーから選択され、85％を超える量で周囲温度においてキシレンに不溶性であり、4.5〜13の範囲の多分散度インデックスおよび2.2 dl/gを超えるテトラヒドロナフタレン中で135℃において測定される極限粘度数の値を有する結晶性プロピレンポリマー65〜95%；ならびに
2) 15〜85%の範囲のエチレン含量および少なくとも1.4 dl/gのテトラヒドロナフタレン中で135℃において測定される極限粘度数の値を有する、プロピレンとのエチレンの弾性オレフィンポリマー5〜35%
を含み、結晶性ポリマー(1)の極限粘度数の値の弾性ポリマー(2)の極限粘度数の値に対する比が0.45〜1.6の範囲であるヘテロ相ポリオレフィン組成物を含む、押出、成形およびこれらの組み合わせにより製造される物品。
【請求項２】
2000 MPaを超える引張弾性率を有する請求項1に記載の物品。
【請求項３】
少なくとも1つの層が請求項1または2に記載の組成物を含む単層または多層パイプ。
【請求項４】
2 g/10分までの溶融流量の値（ISO 1133）を有し、重量％で：
1) プロピレンホモポリマー、ならびにエチレン、C4〜C10α-オレフィンおよび混合物から選択されるα-オレフィン0.1〜10%とのプロピレンのランダムコポリマーおよびランダムターポリマーから選択され、85％を超えるパーセンテージで周囲温度においてキシレンに不溶性であり、4.5〜13の範囲の多分散度インデックスおよび2.2 dl/gを超えるテトラヒドロナフタレン中で135℃において測定される極限粘度数の値を有する結晶性プロピレンポリマー65〜95%；ならびに
2) 15〜85%の範囲のエチレン含量および少なくとも1.4 dl/gのテトラヒドロナフタレン中で135℃において測定される極限粘度数の値を有する、プロピレンとのエチレンの弾性オレフィンポリマー5〜35%
を含み、結晶性ポリマー(1)の極限粘度数の値の弾性ポリマー(2)の極限粘度数の値に対する比が0.45〜1.6の範囲であるヘテロ相ポリオレフィン組成物。
【請求項５】
請求項4に記載の組成物からつくられた押出の異形材、フィルムおよびシート。
【手続補正書】
【提出日】平成19年5月8日(2007.5.8)
【手続補正１】
【補正対象書類名】明細書
【補正対象項目名】００１７
【補正方法】変更
【補正の内容】
【００１７】
ただし、
(ａ) ｎが０であるとき、ＡｄがＮＨＣ(Ｏ)であり、そして
(ｂ) ｎが１であり、Ｘｄが酸素を表し、そしてＡｄがＣ(Ｏ)ＮＨであるとき、Ｒ６ｄおよびＲ７ｄは、同時に両方が水素原子を表すことはなく、または同時に両方が非置換Ｃ１−Ｃ６アルキルを表すことはなく、またはＲ６ｄおよびＲ７ｄの一方が水素原子を表すとき、Ｒ６ｄおよびＲ７ｄのもう一方が非置換Ｃ１−Ｃ６アルキルを表すことはなく；そして
(ｃ) ｎが１であり、Ｘｄが、酸素、硫黄、または＞ＮＨであり、そしてＡｄがＮＨＣ(Ｏ)であるとき、Ｒ６ｄおよびＲ７ｄは同時に両方が水素原子を表すことはなく、または同時に両方が非置換Ｃ１−Ｃ６アルキルを表すことはなく、またはＲ６ｄおよびＲ７ｄの一方が水素原子を表すとき、Ｒ６ｄおよびＲ７ｄのもう一方は、非置換Ｃ１−Ｃ６アルキルまたは−ＣＨ２ＣＨ２ＯＨを表さない]の化合物もしくはその薬学的に許容される塩またはそれらの溶媒和物である。
式(VI)の化合物は、WO 03/41707 に記載されている。
【手続補正２】
【補正対象書類名】明細書
【補正対象項目名】００２２
【補正方法】変更
【補正の内容】
【００２２】
本発明に用いられるＰ２Ｘ７受容体アンタゴニストは、立体異性体の形態で存在し得る。本発明は、活性成分の全ての幾何および光学異性体およびラセミ体を含むその混合物を含むと解される。互変異性体およびその混合物もまた、本発明の態様を形成する。
【手続補正３】
【補正対象書類名】明細書
【補正対象項目名】００２７
【補正方法】変更
【補正の内容】
【００２７】
有益な抗炎症効果をもたらし、従って、種々の急性および慢性炎症状態／疾患、例えばリウマチ性関節炎を処置するのに用いることが可能であることから、本発明による活性成分の選択が有益であることが見出された。炎症性疾患の処置は、該状態に関する腫脹の減少および／または疼痛の軽減を含み得る。この点で、本発明の製品は、炎症疾患、特にリウマチ性関節炎によって引き起こされる疼痛の低減または軽減に、特に有益である。
【手続補正書】
【提出日】平成19年3月20日(2007.3.20)
【手続補正１】
【補正対象書類名】明細書
【補正対象項目名】００９８
【補正方法】変更
【補正の内容】
【００９８】
ｖ) ４−(アセチルアミノ)−３−[(４−クロロフェニル)チオ]−２−メチル−１Ｈ−インドール酢酸
工程(iv)の生成物(０.３１ｇ)をＴＨＦ(１０ml)に溶かし、これに１Ｍ−ＮａＯＨ(ａｑ)(０.７５ml)を加えた。反応物を一夜室温で攪拌した。反応混合物を真空濃縮し、残渣を水に溶解／懸濁させた。希ＨＣｌ(ａｑ)でｐＨを２に調整し、沈殿した固体を濾取した。これをアセトニトリルから再結晶して標記化合物(０.１６ｇ)を得た。
１1H-NMR (DMSO-d6) δ: 13.21 (s, 1H), 9.51 (s, 1H), 7.46 (d, 1H), 7.33 - 7.27 (m, 3H), 7.11 (t, 1H), 6.98 (d, 2H), 5.12 (s, 2H), 2.39 (s, 3H), 1.85 (s, 3H).
APCI+ [M+H]: 389.
M.p.(分解)> 266℃.
【手続補正２】
【補正対象書類名】明細書
【補正対象項目名】０１５４
【補正方法】変更
【補正の内容】
【０１５４】
ｉ) ３−[(４−クロロフェニル)チオ]−４−[[(ジメチルアミノ)スルホニル]アミノ]−２−メチル−１Ｈ−インドール−１−酢酸エチルエステル
トリエチルアミン(５５μＬ)と塩化ジメチルスルファモイル(４３μＬ)とを実施例１工程(iv)の生成物(１５０mg)のアセトニトリル(５ml)溶液に加えた。混合物を２４時間加熱還流し、シリカに吸着させ、カラムクロマトグラフィー(溶離液：３３％ＥｔＯＡｃ／ヘキサン)を用いて精製して副題化合物(９５mg)を得た。
1H-NMR (DMSO-d6) δ: 8.80 (s, 1H), 7.35 - 7.29 (m, 3H), 7.13 (t, 1H), 7.07 (dd, 1H), 6.99 (dt, 2H), 5.25 (s, 2H), 4.18 (q, 2H), 2.56 (s, 6H), 2.37 (s, 3H), 1.21 (t, 3H).
【手続補正書】
【提出日】平成19年5月30日(2007.5.30)
【手続補正１】
【補正対象書類名】明細書
【補正対象項目名】００６５
【補正方法】変更
【補正の内容】
【００６５】
《増殖試験》
９６ウェル培養プレートに５％ウシ新生仔血清を加えたＤＭＥＭでウェルあたり１０００ＦＢＡＥ細胞をシードした。細胞は、２ｎｇ／ｍｌのＶＥＧＦ１６５で刺激するか、又はＶＥＧＦ１６５で刺激しない状態でにおいて、各種の濃度のＮＯＶで刺激した。５日後、ウェルはＤＭＥＭで穏やかにリンスし、細胞を１％グルタルアルデヒド、２０分常温で固定した。固定した細胞は、クリスタルバイオレットの取り込みで定量した（Ｋｕｅｎｇ  ｅｔ  ａｌ．，１９８９）。細胞を０．２Ｍホウ酸緩衝液、ｐＨ９．５で希釈した０．１％クリスタルバイオレット（Ｓｉｇｍａ）で常温２０分間インキュベートした。取り込まれなかった染色液は大量の水でウェルを完全に洗浄することによって除き、取り込まれたクリスタルバイオレット染色液は、ウェルあたり１００μＬの１０％酢酸で溶解した。光学密度の測定は、５９５ｎｍで行なった。３回の個別の実験で、同様の結果が得られた（図４参照）。示した値は、６ウェルの光学密度の平均±ＳＤである。
【手続補正２】
【補正対象書類名】明細書
【補正対象項目名】００８０
【補正方法】変更
【補正の内容】
【００８０】
《増殖試験》（図７）
９６ウェル培養プレートに１０％ＮＢＣＳ添加ＳＦＭ培養液でウェルあたり２０００のＨＵＡＥＣ細胞をシードした。細胞は、２ｎｇ／ｍｌのＶＥＧＦ１６５の刺激下か、又はｂＦＧＦの刺激下で、各種の濃度のＮＯＶの存在下又はＣ−Ｔｅｒフラグメントで刺激した。５日後、ウェルはＳＦＭ培養液で穏やかにリンスし、細胞を１％グルタルアルデヒド）、２０分常温で固定した。固定した細胞は、クリスタルバイオレットの取り込みで定量した。細胞を０．２Ｍホウ酸緩衝液、ｐＨ９．５で希釈した０．１％クリスタルバイオレット（Ｓｉｇｍａ）で常温２０分間インキュベートした。取り込まれなかった染色液は大量の水でウェルを完全に洗浄することによって除き、取り込まれたクリスタルバイオレット染色液は、ウェルあたり１００μＬの１０％酢酸で溶解した。光学密度の測定は、５９５ｎｍで行なった。３回の個別の実験で同様の結果が得られた（図７参照）。示した値は、６ウェルの光学密度の平均±ＳＤである。
【手続補正書】
【提出日】平成19年7月26日(2007.7.26)
【手続補正１】
【補正対象書類名】特許請求の範囲
【補正対象項目名】全文
【補正方法】変更
【補正の内容】
【特許請求の範囲】
【請求項１】
生理学的に有効な作用剤としてのＣＯによる、神経伝達、血管拡張若しくは平滑筋弛緩の刺激のための、又は、急性又は慢性の全身系高血圧、放射線障害、内毒素性ショック、酸素過剰が要因の負傷、アポトーシス、癌、移植による拒絶反応、術後イレウス、動脈硬化、虚血後の臓器障害、アンギナ、出血性ショック、セプシス、陰茎勃起障害、血管再狭窄、肝硬変、心臓肥大、心臓麻痺、潰瘍性大腸炎、慢性裂肛、内肛門括約筋疾病、及び肛門直腸の疾病のうちの何れかの処置のための、又は、バルーン血管形成、大動脈移植、若しくは移植器官の生存における処置のための、薬剤の製造におけるボラノカルボネートの化合物又はイオンであって、該ボラノカルボネートの化合物又はイオンの分子構造が、式：ＢＨ3 −ＣＯ−にて示される成分を含むものの使用。
【請求項２】
前記薬剤が、生理学的に有効な作用剤としてのＣＯによる、神経伝達、血管拡張若しくは平滑筋弛緩の刺激のための、又は、急性又は慢性の全身系高血圧、酸素過剰が要因の負傷、ＣＯのアポトーシス促進効果による癌、移植による拒絶反応、術後イレウス、虚血後の臓器障害、アンギナ、出血性ショック、陰茎勃起障害、肝硬変、心臓肥大、心臓麻痺、及び潰瘍性大腸炎のうちの何れかの処置のための、又は、バルーン血管形成若しくは大動脈移植における処置のためのものである請求項１に記載の使用。
【請求項３】
前記薬剤が、口、静脈、皮下、鼻、吸入、筋肉、腹腔内、経皮、経粘膜、又は座薬のルートによる投与に適したものである請求項１又は２に記載の使用。
【請求項４】
前記カルボキシレート基が、ホウ素原子に結合されている請求項１乃至請求項３の何れか１つに記載の使用。
【請求項５】
前記ボラノカルボネートが、式：ＢＨ3 （ＣＯＱ）（但し、Ｑは、カルボン酸アニオンの形態を表すＯ- であり、或いは、ＯＨ、ＯＲ、ＮＨ2 、ＮＨＲ、ＮＲ2 、ＳＲ又はハロゲンであり且つ該Ｒ若しくは各Ｒがアルキルである）で表される化合物又はアニオンである請求項１、２又は３に記載の使用。
【請求項６】
前記ボラノカルボネートが、Ｏ- 又はＯＲの形態であるＱを有するアニオンであり、該組成物が、少なくとも一つのカチオンを含んでいる請求項５に記載の使用。
【請求項７】
前記カチオンの夫々が、アルカリ金属カチオン又はアルカリ土類金属カチオンである請求項６に記載の使用。
【請求項８】
前記ボラノカルボネートが、Ｎａ2（Ｈ3 ＢＣＯ2 ）である請求項７に記載の使用。
【請求項９】
前記薬剤が、更に、グアニル酸シクラーゼの刺激剤又は安定剤を含む請求項１乃至請求項８の何れか１つに記載の使用。
【請求項１０】
前記グアニル酸シクラーゼの刺激剤又は安定剤が、前記ボラノカルボネートの化合物又はイオンと結合していない分子又はイオンである請求項９に記載の使用。
【請求項１１】
前記グアニル酸シクラーゼの刺激剤又は安定剤が、ＹＣ−１である請求項９又は１０に記載の使用。
【請求項１２】
前記薬剤が、前記ボラノカルボネートの化合物若しくはイオン、及びグアニル酸シクラーゼの刺激剤若しくは安定剤の、同時的又は連続的な投与に適合せしめられている請求項９乃至請求項１１の何れか１つに記載の使用。
【請求項１３】
前記ボラノカルボネートの化合物が、下記の一般式（Ｉ)で示されるもの以外である請求項１乃至請求項１２の何れか１つに記載の使用。
【化１】
2007501209.tif 000001
【請求項１４】
活性能力のある哺乳類の器官を体外にて処置する方法にして、前記器官を、生理学的効果のためにＣＯを利用可能とするように適合させたボラノカルボネートの化合物又はイオンを含む薬剤組成物に接触させる工程を含み、且つ該ボラノカルボネートの化合物又はイオンの分子構造が、下記一般式（ＩＩ）にて示される成分を含むものであることを特徴とする方法。
【化２】
2007501209.tif 000002
【請求項１５】
前記ボラノカルボネートの化合物又はイオンが、式：ＢＨ3 −ＣＯ−にて示される成分を含む請求項１４に記載の方法。
【請求項１６】
前記カルボキシレート基が、ホウ素原子に結合されている請求項１４又は１５に記載の方法。
【請求項１７】
前記ボラノカルボネートが、式：ＢＨｘ（ＣＯＱ）ｙＺｚ［但し、ｘは１、２又は３であり、ｙは１、２又は３であり、ｚは０、１又は２であり、ｘ＋ｙ＋ｚ＝４であり、各Ｑは、カルボン酸アニオンの形態を表すＯ- であり、或いは、ＯＨ、ＯＲ、ＮＨ2 、ＮＨＲ、ＮＲ2 、ＳＲ又はハロゲンであり且つ該Ｒ若しくは各Ｒがアルキル（好ましくは１乃至４個の炭素原子を有する）であり、各Ｚは、ハロゲン、ＮＨ2 、ＮＨＲ’、ＮＲ’2 、ＳＲ’又はＯＲ’であり且つ該Ｒ’若しくは各Ｒ’がアルキルである］で表される化合物又はアニオンである請求項１４又は１５に記載の方法。
【請求項１８】
前記ｚが、０である請求項１６に記載の方法。
【請求項１９】
前記ｙが、１である請求項１６又は１７に記載の方法。
【請求項２０】
前記ボラノカルボネートが、Ｏ- 又はＯＲの形態である少なくとも一つのＱを有するアニオンであり、該組成物が、少なくとも一つのカチオンを含んでいる請求項１７乃至請求項１９の何れか１つに記載の方法。
【請求項２１】
前記カチオンの夫々が、アルカリ金属カチオン又はアルカリ土類金属カチオンである請求項２０に記載の方法。
【請求項２２】
前記ボラノカルボネートが、Ｎａ2（Ｈ3 ＢＣＯ2 ）である請求項２１に記載の方法。
【請求項２３】
前記組成物が、更に、グアニル酸シクラーゼの刺激剤又は安定剤を含む請求項１４乃至請求項２２の何れか一つに記載の方法。
【請求項２４】
前記グアニル酸シクラーゼの刺激剤若しくは安定剤が、前記ボラノカルボネート化合物若しくはイオンと結合していない分子又はイオンである請求項２３に記載の方法。
【請求項２５】
前記グアニル酸シクラーゼの刺激剤又は安定剤が、ＹＣ−１である請求項２３又は２４に記載の方法。
【請求項２６】
生理学的効果のためにＣＯを利用可能とするように適合させたボラノカルボネート化合物又はイオンであって、該ボラノカルボネートの化合物又はイオンが、請求項１４乃至請求項２２の何れか１つにて定義されたものを、移植場所で放出可能な形態において、保持している薬学又は獣医学のインプラント。
【請求項２７】
以下のものを含むことを特徴とする薬剤組成物：
ａ）生理学的効果に適したＣＯを利用可能とするボラノカルボネートの化合物又はイオ      ンであって、該ボラノカルボネートの化合物又はイオンが、請求項１４乃至請求項 ２２の何れか１つに定義されたもの；及び
ｂ）グアニル酸シクラーゼの刺激剤又は安定剤。
【手続補正２】
【補正対象書類名】図面
【補正対象項目名】図３
【補正方法】変更
【補正の内容】
【図３】
2007501209.tif 000003
【手続補正３】
【補正対象書類名】図面
【補正対象項目名】図９
【補正方法】変更
【補正の内容】
【図９】
2007501209.tif 000004
【手続補正書】
【提出日】平成19年7月20日(2007.7.20)
【手続補正１】
【補正対象書類名】特許請求の範囲
【補正対象項目名】全文
【補正方法】変更
【補正の内容】
【特許請求の範囲】
【請求項１】
式（Ｉ）：
【化１】
2007501231.tif 000001
［式中、ｎは０、１または２；
ｍは０、１、または２；
ｎとｍの合計数は２以下；
シクロプロピル環を形成する点線結合が存在しうるのは、ＹがＣＨのときのみであり；
Ｘは水素またはＣＮ；
ＹはＣＨ、ＣＨ２、ＣＨＦ、ＣＦ２、Ｏ、Ｓ、ＳＯまたはＳＯ２；
Ａは、ＯＲ１、ＮＲ１Ｒ２、アルキル、アルケニル、アルキニル、シクロアルキル、シクロアルキルアルキル、ビシクロアルキル、ビシクロアルキルアルキル、アルキルチオアルキル、アリールアルキルチオアルキル、シクロアルケニル、アリール、アラルキル、ヘテロアリール、ヘテロアリールアルキル、シクロヘテロアルキルおよびシクロヘテロアルキルからそれぞれ独立して選ばれる０〜６個の置換基で必要に応じて置換されてよいアダマンチルであって、かかる置換基は必要に応じて有効炭素原子を介して、水素、ハロ、アルキル、ポリハロアルキル、アルコキシ、ハロアルコキシ、ポリハロアルコキシ、アルコキシカルボニル、アルケニル、アルキニル、シクロアルキル、シクロアルキルアルキル、ポリシクロアルキル、ヘテロアリールアミノ、アリールアミノ、シクロヘテロアルキル、シクロへテロアルキルアルキル、ヒドロキシ、ヒドロキシアルキル、ニトロ、シアノ、アミノ、置換アミノ、アルキルアミノ、ジアルキルアミノ、チオール、アルキルチオ、アルキルカルボニル、アシル、アルコキシカルボニル、アミノカルボニル、アルキニルアミノカルボニル、アルキルアミノカルボニル、アルケニルアミノカルボニル、アルキルカルボニルオキシ、アルキルカルボニルアミノ、アリールカルボニルアミノ、アルキルスルホニルアミノ、アルキルアミノカルボニルアミノ、アルコキシカルボニルアミノ、アルキルスルホニル、アミノスルホニル、アルキルスルフィニル、スルホンアミドおよびスルホニルから選ばれる１、２、３、４または５個の基で置換されてよく；
Ｒ１およびＲ２はそれぞれ独立して、水素、アルキル、アルケニル、アルキニル、アリールおよびヘテロアリールから選ばれる］
で示される化合物（但し、下記式：
【化２】
2007501231.tif 000002
で示される化合物は含まず）、またはその医薬的に許容しうる塩、プロドラッグエステルもしくは全ての立体異性体。
【請求項２】
式：
【化３】
2007501231.tif 000003
から選ばれる請求項１に記載の化合物。
【請求項３】
式：
【化４】
2007501231.tif 000004
から選ばれる請求項１に記載の化合物。
【請求項４】
式：
【化５】
2007501231.tif 000005
の化合物。
【請求項５】
式：
【化６】
2007501231.tif 000006
の化合物。
【請求項６】
請求項１に記載の化合物およびその医薬的に許容しうる担体から成る医薬組成物。
【請求項７】
請求項１に記載の化合物と、抗糖尿病剤、抗肥満剤、抗高血圧剤、抗アテローム硬化剤および脂質低下剤からなる群から選ばれる少なくとも１種の治療剤との組合せから成る医薬。
【請求項８】
治療剤が抗糖尿病剤である請求項７に記載の組合せ医薬。
【請求項９】
抗糖尿病剤が、ビグアニド、スルホニル尿素、グルコシダーゼ阻害薬、ＰＰＡＲガンマアゴニスト、ＰＰＡＲアルファ／ガンマ二元アゴニスト、ａＰ２阻害薬、ＳＧＬＴ２阻害薬、インスリン感作物質、グルカゴン様ペプチド−Ｉ（ＧＬＰ−Ｉ）、インスリンおよびメグリチニドからなる群から選ばれる少なくとも１種の作用物質である請求項８に記載の組合せ医薬。
【請求項１０】
抗糖尿病剤が、メトホルミン、グリブリド、グリメピリド、グリピリド、グリピジド、クロルプロパミド、グリクラジド、アカーボース、ミグリトール、ピオグリタゾン、トログリタゾン、ロシグリタゾン、インスリン、イサグリタゾン、レパグリニドおよびナテグリニドからなる群から選ばれる少なくとも１種の作用物質である請求項９に記載の組合せ医薬。
【請求項１１】
請求項１に記載の化合物と抗糖尿病剤の重量比が、約０．０１〜３００：１の範囲にある請求項８に記載の組合せ医薬。
【請求項１２】
抗肥満剤が、ベータ３アドレナリン作用アゴニスト、リパーゼ阻害薬、セロトニン（およびドパミン）再摂取阻害薬、甲状レセプタ・ベータ化合物および食欲抑制薬からなる群から選ばれる少なくとも１種の作用物質である請求項７に記載の組合せ医薬。
【請求項１３】
抗肥満剤が、オルリスタット、シブトラミン、トピラメート、アキソキン、デキサムフェタミン、フェンテルミン、フェニルプロパノールアミンおよびマチンドールからなる群から選ばれる少なくとも１種の作用物質である請求項１２に記載の組合せ医薬。
【請求項１４】
脂質低下剤が、ＭＴＰ阻害薬、コレステロールエステル転移たん白、ＨＭＧ  ＣoＡレダクターゼ阻害薬、スクアレンシンセターゼ阻害薬、フィブリック酸誘導体、ＬＤＬレセプタ活性のアップレギュレーター、リポキシゲナーゼ阻害薬およびＡＣＡＴ阻害薬からなる群から選ばれる少なくとも１種の作用物質である請求項７に記載の組合せ医薬。
【請求項１５】
脂質低下剤が、プラバスタチン、ロバスタチン、シンバスタチン、アトルバスタチン、セリバスタチン、フルバスタチン、ニスバスタチン、ビサスタチン、フェノフィブレート、ゲムフィブロジル、クロフィブレートおよびアバシミベからなる群から選ばれる少なくとも１種の作用物質である請求項１４に記載の組合せ医薬。
【請求項１６】
請求項１に記載の化合物と脂質低下剤の重量比が、約０．０１〜１００:１の範囲にある請求項１４に記載の組合せ医薬。
【請求項１７】
請求項１に記載の化合物を活性成分とする、糖尿病、糖尿病網膜症、糖尿病ニューロパシー、糖尿病ネフロパシー、創傷治癒、インスリン抵抗性、高血糖症、高インスリン血症、Ｘ症候群、糖尿病合併症、遊離脂肪酸もしくはグリセロールの高血中濃度、高脂質血症、肥満症、高トリグリセリド血症、アテローム硬化症または高血圧症の進行もしくは発症の処置または遅延用薬剤。
【請求項１８】
さらに抗糖尿病剤、抗肥満剤、抗高血圧剤、抗アテローム硬化剤、移植における同種移植片拒絶を抑制する作用物質および脂質低下剤からなる群から選ばれる少なくとも１種の追加の治療剤を含み、該追加の治療剤は同時にまたは連続して投与されることを特徴とする、請求項１７に記載の薬剤。
【請求項１９】
請求項１に記載の化合物を含有し、ＤＰＰ−ＩＶを阻害する医薬組成物。
【請求項２０】
請求項１に記載の化合物を活性成分とする、ＤＰＰ−ＩＶの阻害剤。
【手続補正書】
【提出日】平成19年7月27日(2007.7.27)
【手続補正１】
【補正対象書類名】特許請求の範囲
【補正対象項目名】全文
【補正方法】変更
【補正の内容】
【特許請求の範囲】
【請求項１】
ボーマン−バークインヒビター又はその誘導体を含有する、骨格筋の萎縮を処置又は予防するための組成物。
【請求項２】
ボーマン−バークインヒビター又はその誘導体を含有する、骨格筋の機能を改善するための組成物。
【請求項３】
骨格筋の機能を改善することが、筋力を増強すること又は筋量を増大することを含む、請求項２に記載の組成物。
【請求項４】
ボーマン−バークインヒビター又はその誘導体を含有する、骨格筋変性を処置又は防止するための組成物。
【請求項５】
ボーマン−バークインヒビター又はその誘導体を含有する、骨格筋変性疾患又は疾病に罹った対象における症状を緩和するか、疾病の進行を遅らせるための組成物。
【請求項６】
骨格筋変性疾患又は疾病が、筋ジストロフィー、筋萎縮性側索硬化症、脊髄性筋萎縮症又は脊髄損傷である、請求項５に記載の組成物。
【請求項７】
経口投与される、請求項１〜６のいずれかに記載の組成物。
【請求項８】
栄養補助食として投与される、請求項７に記載の組成物。
【請求項９】
ボーマン−バークインヒビター濃縮物を含有する、請求項１〜８のいずれかに記載の組成物。
【請求項１０】
ボーマン−バークインヒビター又はその誘導体の、請求項１〜９のいずれかに記載の組成物の製造への使用。
【手続補正書】
【提出日】平成19年3月6日(2007.3.6)
【手続補正１】
【補正対象書類名】特許請求の範囲
【補正対象項目名】全文
【補正方法】変更
【補正の内容】
【特許請求の範囲】
【請求項１】
ａ）少なくとも５重量％の酸化ビスマスと少なくとも５０重量％のチタニアとを含んでなる出発組成物を用意する工程と、
ｂ）前記出発組成物を溶融して、溶融液滴を形成する工程と、
ｃ）前記溶融液滴を冷却して、急冷された融合ミクロスフィアを形成する工程と、
ｄ）前記急冷融合ミクロスフィアを加熱して、ガラス−セラミック構造を有するミクロスフィアを形成する工程と
を含んでなるミクロスフィアの製造方法。
【請求項２】
前記ミクロスフィアが透明である、請求項１に記載のミクロスフィアの製造方法。
【請求項３】
酸化ビスマスの量が３０重量％以下である、請求項１に記載のミクロスフィアの製造方法。
【手続補正書】
【提出日】平成18年12月15日(2006.12.15)
【手続補正１】
【補正対象書類名】特許請求の範囲
【補正対象項目名】全文
【補正方法】変更
【補正の内容】
【特許請求の範囲】
【請求項１】
ａ）ｉ）ポリマー、および
ｉｉ）防曇剤
のブレンドを含む第１外層；
ｂ）酸素除去剤を含む内層；
ｃ）ポリマーを含む第２外層；および
ｄ）酸素除去剤を含む内層と第１および第２外層の１つの層との間に配置された酸素バリア層であって、２５℃、０％の相対湿度、１気圧（ＡＳＴＭ  Ｄ３９８５）において、１００ｃｃ／ｍ２／２４時間以下の酸素透過速度を有する酸素バリア層
を含み、
前記防曇剤が、
ｉ）グリセロール脂肪酸エステル、
ｉｉ）ポリグリセロール脂肪酸エステル、
ｉｉｉ）ポリエチレングリコール脂肪酸エステル、
ｉｖ）ポリエチレングリコールアルキルエーテル、
ｖ）エトキシ化アルキルフェノール、
ｖｉ）ソルビタンエステル、
ｖｉｉ）エトキシ化ソルビタンエステル、および
ｖｉｉｉ）アルカノール
からなる群から選択された材料を含み、
前記第１外層が、前記第１外層の重量を基準として、３％を超え、８％未満の防曇剤を含む
多層フィルム。
【請求項２】
第１および第２外層のポリマーが、
ａ）エチレン／α−オレフィンコポリマー、
ｂ）エチレン／酢酸ビニルコポリマー、
ｃ）アイオノマー樹脂、
ｄ）エチレン／アクリル酸またはメタクリル酸コポリマー、
ｅ）エチレン／アクリレートまたはメタクリレートコポリマー、および
ｆ）低密度ポリエチレン
からなる群から選択された材料を含む請求項１に記載の多層フィルム。
【請求項３】
酸素除去剤が、
ｉ）酸化する有機化合物および遷移金属触媒、
ｉｉ）エチレン性不飽和炭化水素および遷移金属触媒、
ｉｉｉ）ポリマー主鎖、環式オレフィン酸ペンダント基、および前記オレフィン酸ペンダント基を前記ポリマー主鎖に結合させる結合基を有するポリマー、
ｉｖ）エチレンと歪んだ環式アルキレンのコポリマー、
ｖ）エチレン／ビニルアラルキルコポリマー、
ｖｉ）アスコルベート、
ｖｉｉ）イソアスコルベート、
ｖｉｉｉ）サルファイト、
ｉｘ）アスコルベートおよび遷移金属触媒（前記触媒は、単純な金属または塩、または遷移金属の化合物、錯体もしくはキレートを含む。）、
ｘ）ポリカルボン酸、サリチル酸またはポリアミンの遷移金属錯体もしくはキレート、
ｘｉ）タンニン、および
ｘｉｉ）還元された金属
からなる群から選択された材料を含む請求項１に記載の多層フィルム。
【請求項４】
酸素バリアが、
ｉ）ポリエステル、
ｉｉ）ポリビニルアルコール、
ｉｉｉ）エチレンビニルアルコールコポリマー、
ｉｖ）ポリエチレンナフタレート、
ｖ）ポリアミド、
ｖｉ）コポリアミド、
ｖｉｉ）ポリアクリロニトリル、
ｖｉｉｉ）アクリロニトリルコポリマー、
ｉｘ）液晶ポリマー、
ｘ）ＳｉＯｘ、
ｘｉ）ポリ塩化ビニル、
ｘｉｉ）ポリ塩化ビニリデン、
ｘｉｉｉ）塩化ビニリデンコポリマー、
ｘｉｖ）炭素、
ｘｖ）金属、および
ｘｖｉ）金属酸化物
からなる群から選択された材料を含む請求項１に記載のフィルム。
【請求項５】
フィルムの平均酸素除去速度が、フィルムの酸素除去特性が活性化された後、少なくとも２日間、少なくとも２５ｃｃ／ｍ２／日である請求項１に記載のフィルム。
【請求項６】
フィルムが架橋されている請求項１に記載のフィルム。
【請求項７】
フィルムが二軸配向されており、熱収縮性である請求項１に記載のフィルム。
【請求項８】
ａ）  ｉ）（ａ）ポリマー、および
（ｂ）防曇剤のブレンドを含む第１層；
ｉｉ）酸素除去剤を含む第２層；および
ｉｉｉ）ポリマーを含む第３層
を含む多層フィルム、および
ｂ）ポリエチレンテレフタレートを含み、前記多層フィルムの第３層に接着された第２フィルム
を含み、
前記防曇剤が、
ｉ）グリセロール脂肪酸エステル、
ｉｉ）ポリグリセロール脂肪酸エステル、
ｉｉｉ）ポリエチレングリコール脂肪酸エステル、
ｉｖ）ポリエチレングリコールアルキルエーテル、
ｖ）エトキシ化アルキルフェノール、
ｖｉ）ソルビタンエステル、
ｖｉｉ）エトキシ化ソルビタンエステル、および
ｖｉｉｉ）アルカノール
からなる群から選択された材料を含み、
前記第１層が、前記第１層の重量を基準として、３％を超え、８％未満の防曇剤を含む
積層品。
【手続補正書】
【提出日】平成19年4月18日(2007.4.18)
【手続補正１】
【補正対象書類名】特許請求の範囲
【補正対象項目名】全文
【補正方法】変更
【補正の内容】
【特許請求の範囲】
【請求項１】
支持体およびインク受容層を含む画像記録要素であって、該インク受容層が、前記支持体に近接する少なくとも一層の多孔質層および前記多孔質層に近接し且つ前記画像記録要素の表面上にある少なくとも一層の膨潤性層を含み、前記少なくとも一層の多孔質層が、０．０５〜１．０μｍのメジアン孔径の孔を有し、そして前記少なくとも一層の膨潤性層が、０．５〜５μｍの厚さを有する画像記録要素。
【手続補正書】
【提出日】平成19年6月1日(2007.6.1)
【手続補正１】
【補正対象書類名】特許請求の範囲
【補正対象項目名】全文
【補正方法】変更
【補正の内容】
【特許請求の範囲】
【請求項１】
接着剤を製造する方法であって、
（ａ）細長い熱シール可能な熱可塑性のウェブを連続的に移動させる工程と、
（ｂ）前記ウェブを少なくとも１つの側端に沿って長手方向にシールして細長い管状物を形成する工程と、
（ｃ）少なくとも一方が可撓性の非円形コンベヤを含む第１および第２のジョー支持部材であって、前記第１および第２のジョー支持部材の間に画定されたシーリング経路に沿って前記ウェブと実質的に同じ速度で移動する複数の協働対の嵌合ジョーを含む、第１および第２ジョー支持部材を用意する工程と、
（ｄ）前記シーリング経路に沿って前記ウェブが移動しているときに、一対の嵌合ジョー間に前記ウェブを把持しかつ前記ウェブを加熱して接合することにより前記ウェブに第１の横方向シールを形成して、シールされた両側端、シールされた底部及び開放された上部を備えた、部分的に形成されたパウチを構成する工程と、
（ｅ）前記部分的に形成されたパウチに、重合可能な液体モノマー混合物を充填する工程と、
（ｆ）前記シーリング経路に沿って前記ウェブが移動しているときに、一対の嵌合ジョー間に前記ウェブを把持しかつ前記ウェブを加熱して接合することにより前記ウェブに第２の横方向シールを形成し、前記部分的に形成されたパウチの上部をシールする工程と、
（ｇ）前記液体モノマーを重合する工程と、
（ｈ）重合された液体を前記ウェブとブレンドして接着剤を製造する工程と、
を含む方法。
【請求項２】
前記シーリング経路に進入するウェブは、前記横方向シールを形成している間は実質的に張力を受けない請求項１に記載の方法。
【手続補正書】
【提出日】平成19年5月8日(2007.5.8)
【手続補正１】
【補正対象書類名】特許請求の範囲
【補正対象項目名】全文
【補正方法】変更
【補正の内容】
【特許請求の範囲】
【請求項１】
ガス状反応物から液状生成物を生成し、そして、任意でガス状生成物を生成するための方法であって、
ガス状反応物および任意で再循環ガス流の一部分を、容器内の懸濁液中に懸濁した固体粒子の鉛直に延びるスラリー床の中に低いレベルで供給する工程と、
前記再循環ガス流の少なくとも一部分を、前記スラリー床中において、前記ガス状反応物が前記スラリー床内に供給されるレベルの上方で、且つ、前記スラリー床の鉛直高さの下側２０％の位置よりも上方に、追加のガス供給として供給する工程と、
前記ガス状反応物および再循環ガスが、前記スラリー床を上向きに通過するときに反応することを可能にする工程であって、それによって液状生成物および任意でガス状生成物を形成し、前記液状生成物が前記懸濁液と共に前記スラリー床の液相を形成するところの工程と、
ガス状生成物、未反応のガス状反応物および未反応の再循環ガスが、前記スラリー床から離脱して、前記スラリー床の上方のヘッドスペースに入ることを可能にする工程と、
ガス状生成物および未反応のガス状反応物および未反応の再循環ガスを前記ヘッドスペースから抜き取る工程と、
前記スラリー床から液相を抜き取って、前記スラリー床を所望のレベルに維持する工程と、
前記ヘッドスペースからガス状成分の少なくとも一部分を再循環させて、前記再循環ガス流を提供する工程と
を含む方法。
【請求項２】
スラリー再分配手段またはスラリー再分配器を使用して、スラリーが前記スラリー床内の高いレベルから下向きに低いレベルに通過することを可能にして、それによって前記スラリー床内に固体粒子を再分配する工程を含む、請求項１に記載の方法。
【請求項３】
前記追加のガス供給が、前記スラリー床内の鉛直高さの２０％と８０％との間に位置するレベルで行われる、請求項１または請求項２に記載の方法。
【請求項４】
前記固体粒子が、前記ガス状反応物の反応に触媒作用を及ぼして、前記液状生成物にし、場合により、前記ガス状生成物にするための触媒粒子であり、そして、前記懸濁液が前記液状生成物である、請求項１から３のいずれか１つに記載の方法。
【請求項５】
前記ガス状反応物が、前記スラリー床内で触媒的に反応して、液状炭化水素生成物を形成し、任意で、ガス状炭化水素生成物を形成することができるところの炭化水素合成方法である、請求項１から４のいずれか１つに記載の方法。
【請求項６】
前記追加のガス供給により、前記スラリー床に入るガスの総体積供給量の少なくとも１０％が提供される、請求項１から５のいずれか１つに記載の方法。
【請求項７】
前記追加のガス供給により、前記スラリー床に入るガスの総体積供給量の６０％以下が提供される、請求項１から６のいずれか１つに記載の方法。
【請求項８】
前記追加のガス供給が、前記スラリー床の鉛直高さの３０％よりも上方に位置するレベルで行われる、請求項１から７のいずれか１つに記載の方法。
【請求項９】
前記再循環ガス流の全体が前記追加のガス供給の一部分を形成する、請求項１から８のいずれか１つに記載の方法。
【請求項１０】
ガス状反応物から液状生成物を生成し、そして、任意でガス状生成物を生成する装置であって、
鉛直に延びるスラリー床ゾーンを有する反応容器であって、使用の際に懸濁液中に懸濁した固体粒子のスラリー床を収容する反応容器と、
ガス状反応物を前記容器内に導入するために、前記容器内で、前記スラリー床ゾーン内の低いレベルに設けられた第１のガス入口と、
前記容器内に再循環ガスを導入するために、前記容器内で、前記第１のガス入口の上方の、前記スラリー床ゾーン内の所定のレベルに設けられた第２のガス入口であって、前記容器内の前記第２のガス入口が前記スラリー床ゾーンの鉛直高さの下側２０％の位置よりも上方に位置するところの第２のガス入口と、
前記スラリー床ゾーンの上方のヘッドスペースからガスを抜き取るために、前記容器内で、前記スラリー床ゾーンの上方に設けられたガス出口と、
前記容器から液状生成物を抜き取るために、前記容器内で、前記スラリー床ゾーン中に設けられた液体出口と
を備える装置。
【請求項１１】
スラリー再分配手段またはスラリー再分配器を備え、それを介して、使用に際してスラリーが前記スラリー床内の高いレベルから低いレベルに再分配されて、固体粒子を前記スラリー床内で再分配する、請求項１０に記載の装置。
【請求項１２】
前記第２のガス入口が、前記スラリー床ゾーンの鉛直高さの２０％と８０％との間に位置するレベルにある、請求項１０または１１に記載の装置。
【請求項１３】
前記第２のガス入口が、前記スラリー床ゾーンの鉛直高さの下側３０％よりも上方のレベルにある、請求項１０から１２のいずれか１つに記載の装置。
【請求項１４】
前記スラリー再分配手段またはスラリー再分配器が下降管を備え、前記下降管が少なくとも第１の下降管領域および第２の下降管領域に配置され、前記第２の下降管領域が前記第１の下降管領域に対して鉛直方向に空間を開けて配置される、請求項１１に記載の装置。
【手続補正書】
【提出日】平成19年7月23日(2007.7.23)
【手続補正１】
【補正対象書類名】特許請求の範囲
【補正対象項目名】全文
【補正方法】変更
【補正の内容】
【特許請求の範囲】
【請求項１】
無機又は有機の基材に強く付着している金属コーティングを製造する方法であって、
（ａ）無機又は有機の基材上に、低温プラズマ処理、コロナ放電処理又は火炎処理を実施し；
（ｂ）無機又は有機の基材に、１種類以上の光開始剤、又は少なくとも１つのエチレン性不飽和基を含んでいるモノマー若しくは／及びオリゴマーと光開始剤との混合物、或いは前記物質の溶液、懸濁液若しくは乳濁液を適用し；
（ｃ）ステップ（ｂ）の層を場合により乾燥させ、そして、ステップ（ｂ）の層に電磁波を照射し；そして
（ｄ）光開始剤でプレコーティングした基材に、気相から、金属、半金属又は金属酸化物を堆積させる方法。
【請求項２】
ステップ（ｄ）において、気相から、金属、半金属若しくは金属酸化物を堆積させている間又は堆積させた後で、電磁波の照射を実施する、請求項１に記載の方法。
【請求項３】
光開始剤が、ベンゾイン、ベンジルケタール、アセトフェノン、ヒドロキシアルキルフェノン、アミノアルキルフェノン、アシルホスフィンオキシド、アシルホスフィンスルフィド、アシルオキシイミノケトン、ペルオキシ化合物、ハロゲン化アセトフェノン、フェニルグリオキシラート、二量体性フェニルグリオキシラート、ベンゾフェノン、オキシム及びオキシムエステル、チオキサントン、チアゾリン、フェロセン、クマリン、ジニトリル化合物、チタノセン、スルホニウム塩、ヨードニウム塩、ジアゾニウム塩、オニウム塩、ホウ酸塩、トリアジン、ビスイミダゾール、ポリシラン並びに染料の群からの化合物又はそのような化合物の組合せ、並びに更に対応する助開始剤及び／又は増感剤である、請求項１記載の方法。
【請求項４】
光開始剤が、式（Ｉ）又は式（Ｉａ）：
【化１】
2007501111.tif 000001
［式中、
（ＩＮ）は、光開始剤の基本構造であり；
Ａは、スペーサー基又は単結合であり；
（ＲＧ）は、水素であるか、又は少なくとも１つの官能性エチレン性不飽和基であり；
（ＲＧ’）は、単結合であるか、又は少なくとも１つの官能性エチレン性不飽和基を含んでいる二価の基であるか、又は三価の基である］
で表される化合物である、請求項１記載の方法。
【請求項５】
光開始剤、又は光開始剤とモノマー若しくはオリゴマーの混合物を、１種類以上の液体（例えば、溶媒又は水）と組み合わせて、溶液、懸濁液及び乳濁液の形態で用いる、請求項１〜４のいずれか一項に記載の方法。
【請求項６】
プラズマガスとして、不活性ガスを用いるか、又は不活性ガスと反応性ガスの混合物を用いる、請求項１又は２のいずれかに記載の方法。
【請求項７】
適用された光開始剤層が、５００nm以下の層厚、特に、単分子層から２００nmまでの範囲の層厚を有する、請求項１に記載の方法。
【請求項８】
本方法のステップ（ｂ）を、本方法のステップ（ａ）の直後に実施するか、又は本方法のステップ（ａ）の後で２４時間以内に実施する、請求項１に記載の方法。
【請求項９】
本方法のステップ（ｂ）における１種類又は複数種の光開始剤の濃度が、０．０１〜９９．５％、好ましくは、０．１〜８０％である、請求項１に記載の方法。
【請求項１０】
本方法のステップ（ｃ）を、本方法のステップ（ｂ）の直後に実施するか、又は本方法のステップ（ｂ）の後で２４時間以内に実施する、請求項１に記載の方法。
【請求項１１】
本方法のステップ（ｃ）及び／又は本方法のステップ（ｄ）における照射を、２００nm〜７００nmの範囲内の波長の電磁波を放射する線源を用いて実施するか、又は電子ビームにより実施する、請求項１又は２に記載の方法。
【請求項１２】
本方法のステップ（ｂ）で適用された、光開始剤又はモノマー及び／若しくはオリゴマーと光開始剤の混合物の、本方法のステップ（ｃ）における照射の後で架橋していない部分を、溶媒及び／若しくは水による処理によって除去するか、並びに／又は機械的に除去する、請求項１記載の方法。
【請求項１３】
本方法のステップ（ｄ）における照射後に、コーティングの一部を、溶媒及び／若しくは水による処理によって除去するか、並びに／又は機械的に除去する、請求項１記載の方法。
【請求項１４】
請求項１〜１３のいずれか一項に記載の方法により得ることができる、強く付着しているコーティング。